(57)【要約】  自己発光アレイ表示制御方法、装置及びデバイスが開示される。本発明の実施例における自己発光アレイは複数の画素を含む。各画素は、非白色発光点及び白色発光点を含む。非白色発光ダイオード及び白色発光ダイオードは、それぞれ非白色発光点及び白色発光点に配置される。方法は、イメージのグレースケール表示命令が受信されたときに、白色発光点に対応する白色発光ダイオードが発光するように制御するステップを含む。対応する装置及びデバイスが更に開示される。白色発光ダイオードは、白色発光点での発光を実現するために、異なる色の複数の非白色発光ダイオードの組み合わせを代替するために使用される。したがって、自己発光アレイのディスプレイは、低電力消費モードで動作するときに比較的低い電力消費を有する。
2019507364.tif 000002
【特許請求の範囲】
【請求項１】
自己発光アレイ表示制御方法であり、自己発光アレイは複数の画素を含み、各画素は、非白色発光点及び白色発光点を含み、非白色発光ダイオード及び白色発光ダイオードは、それぞれ前記非白色発光点及び前記白色発光点に配置される方法であって、
イメージのグレースケール表示命令が受信されたときに、前記白色発光点に対応する前記白色発光ダイオードが発光するように制御するステップを含む方法。
【請求項２】
イメージのグレースケール表示命令が受信されたときに、前記白色発光点に対応する前記白色発光ダイオードが発光するように制御するステップは、
前記イメージの前記グレースケール表示命令が受信されたときに、数量及び位置が前記白色発光点のものと１対１の対応関係にある前記白色発光ダイオードが発光するように制御するステップを含む、請求項１に記載の方法。
【請求項３】
イメージのグレースケール表示命令が受信されたときに、前記白色発光点に対応する前記白色発光ダイオードが発光するように制御するステップは、
前記イメージの前記グレースケール表示命令が受信されたときに、前記複数の画素の中で白色発光点が隣接する少なくとも２つの画素を決定するステップであり、前記少なくとも２つの画素の前記白色発光点は、１つの白色発光ダイオードを共有するステップと、
前記共有される白色発光ダイオードが発光するように制御するステップと
を含む、請求項１に記載の方法。
【請求項４】
グレースケールレベルを設定するために、前記白色発光ダイオードの輝度を調整するステップを更に含む、請求項１乃至３のうちいずれか１項に記載の方法。
【請求項５】
前記イメージの背景を全て黒色に設定するステップを更に含む、請求項１乃至４のうちいずれか１項に記載の方法。
【請求項６】
自己発光アレイ表示制御装置であり、自己発光アレイは複数の画素を含み、各画素は、非白色発光点及び白色発光点を含み、非白色発光ダイオード及び白色発光ダイオードは、それぞれ前記非白色発光点及び前記白色発光点に配置される装置であって、
イメージのグレースケール表示命令が受信されたときに、前記白色発光点に対応する前記白色発光ダイオードが発光するように制御するように構成された制御ユニットを含む装置。
【請求項７】
前記制御ユニットは、
前記イメージの前記グレースケール表示命令が受信されたときに、数量及び位置が前記白色発光点のものと１対１の対応関係にある前記白色発光ダイオードが発光するように制御するように具体的に構成される、請求項６に記載の装置。
【請求項８】
前記制御ユニットは、
前記イメージの前記グレースケール表示命令が受信されたときに、前記複数の画素の中で白色発光点が隣接する少なくとも２つの画素を決定し、前記少なくとも２つの画素の前記白色発光点は、１つの白色発光ダイオードを共有し、
前記共有される白色発光ダイオードが発光するように制御するように具体的に構成される、請求項６に記載の装置。
【請求項９】
グレースケールレベルを設定するために、前記白色発光ダイオードの輝度を調整するように構成される調整ユニットを更に含む、請求項６乃至８のうちいずれか１項に記載の装置。
【請求項１０】
前記イメージの背景を全て黒色に設定するように構成された設定ユニットを更に含む、請求項６乃至９のうちいずれか１項に記載の装置。
【請求項１１】
自己発光アレイ表示制御デバイスであり、自己発光アレイは複数の画素を含み、各画素は、非白色発光点及び白色発光点を含み、非白色発光ダイオード及び白色発光ダイオードは、それぞれ前記非白色発光点及び前記白色発光点に配置されるデバイスであって、
入力装置と、出力装置と、メモリと、プロセッサとを含み、
前記メモリは、命令を記憶するように構成され、
前記プロセッサは、
イメージのグレースケール表示命令が受信されたときに、前記白色発光点に対応する前記白色発光ダイオードが発光するように制御することを実現するための命令を実行するように構成されるデバイス。
【請求項１２】
前記プロセッサは、
前記イメージの前記グレースケール表示命令が受信されたときに、数量及び位置が前記白色発光点のものと１対１の対応関係にある前記白色発光ダイオードが発光するように制御するように具体的に構成される、請求項１１に記載のデバイス。
【請求項１３】
前記プロセッサは、
前記イメージの前記グレースケール表示命令が受信されたときに、前記複数の画素の中で白色発光点が隣接する少なくとも２つの画素を決定し、前記少なくとも２つの画素の前記白色発光点は、１つの白色発光ダイオードを共有し、
前記共有される白色発光ダイオードが発光するように制御するように具体的に構成される、請求項１１に記載のデバイス。
【請求項１４】
前記プロセッサは、
グレースケールレベルを設定するために、前記白色発光ダイオードの輝度を調整するように更に構成される、請求項１１乃至１３のうちいずれか１項に記載のデバイス。
【請求項１５】
前記プロセッサは、
前記イメージの背景を全て黒色に設定するように更に構成される、請求項１１乃至１４のうちいずれか１項に記載のデバイス。
【発明の詳細な説明】
【技術分野】
【０００１】
本発明は、画面表示技術の分野に関し、特に自己発光アレイ表示制御方法、装置及びデバイスに関する。
【背景技術】
【０００２】
頻繁に使用される表示技術では、液晶ディスプレイ（英文：Liquid  Crystal  Display、略称：LCD）及び有機発光ダイオード（英文：Organic  Light-Emitting  Diode、略称：OLED）が主に使用される。LCDとOLEDとの間の主な違いは以下の通りである。LCDは、バックライト板に基づいて光を発光し、表示パネルは、要求される光を選択的に使用することにより、カラーパターンを出力する。したがって、画像の内容にかかわらず、電力消費は不変のままである。OLEDは、自己発光原理に基づいており、各画素は、自己発光光源である。したがって、表示される画像内のより多くの黒色画素は、より少ない発光点及びより低い電力消費を示す。OLEDは、一般的な自己発光アレイである。自己発光アレイは、複数の発光ダイオード（英文：Light-Emitting  Diode、略称：LED）を含む。
【０００３】
含まれる異なる配置及び異なる発光ダイオードに従って、自己発光アレイは、通常では、赤、緑及び青ペンタイル（英文：RGB  Pentile）と、赤、緑、青及び白ペンタイル（英文：RGBW  Pentile）とに分類される。すなわち、赤、緑及び青ペンタイルに比べて、赤、緑、青及び白ペンタイルには白色発光ダイオードが追加される。しかし、赤、緑、青及び白ペンタイルを使用するディスプレイは、通常では室外の大画面として使用される。使用中に、低電力消費の要件は存在せず、白色発光ダイオードは、通常では画像の輝度を増加させるために使用される。
【０００４】
端末デバイスでは、端末デバイスのバッテリ耐久性を向上させるために、画面の電力消費は、できるだけ低減される必要がある。例えば、OLED画面についての通常のフルカラー表示モードに加えて、発光画素の数量を低減するための方法が、端末デバイスが電力消費の低減の目的を達成するために頻繁に使用され、すなわち、低電力消費表示モードが使用される。図１は、ウェアラブルデバイスのOLED画面の通常表示モード及び低電力消費表示モードの概略図を示す。通常表示モードでは、400x400の解像度を有するRGBイメージが表示される。低電力消費モードでは、400x400の解像度を有する256グレースケールイメージが表示され、背景は黒色に設定される。これは、発光点の数量を非常に低減し、電力消費の低減の目的を達成する。
【０００５】
しかし、従来技術では、低電力消費モードでの電力消費は、依然として十分に低くない。自己発光アレイのディスプレイが低電力消費モードで動作するときに比較的低い電力消費を有する解決策が業界において期待される。
【発明の概要】
【０００６】
本発明の実施例は、自己発光アレイのディスプレイが低電力消費モードで動作するときに比較的低い電力消費を有することを確保するための自己発光アレイ表示制御方法、装置及びデバイスを提供する。
【０００７】
第１の態様によれば、自己発光アレイ表示制御方法が提供され、自己発光アレイは複数の画素を含み、各画素は、非白色発光点及び白色発光点を含み、非白色発光ダイオード及び白色発光ダイオードは、それぞれ非白色発光点及び白色発光点に配置され、方法は、
イメージのグレースケール表示命令が受信されたときに、白色発光点に対応する白色発光ダイオードが発光するように制御するステップを含む。
【０００８】
この実現方式では、白色発光ダイオードは、白色発光点での発光を実現するために、異なる色の複数の非白色発光ダイオードの組み合わせを代替するために使用される。したがって、自己発光アレイのディスプレイは、低電力消費モードで動作するときに比較的低い電力消費を有する。
【０００９】
第１の態様を参照して、可能な実現方式では、イメージのグレースケール表示命令が受信されたときに、白色発光点に対応する白色発光ダイオードが発光するように制御するステップは、
イメージのグレースケール表示命令が受信されたときに、数量及び位置が白色発光点のものと１対１の対応関係にある白色発光ダイオードが発光するように制御するステップを含む。
【００１０】
この実現方式では、数量及び位置が白色発光点のものと１対１の対応関係にある白色発光ダイオードが発光するように制御される。白色発光点での発光を実現するために、異なる色の３つの非白色発光ダイオードの組み合わせを使用することに比べて、1/3の発光ダイオードのみが要求される。これは、低電力消費モードで動作するときに自己発光アレイのディスプレイの電力消費を非常に低減する。
【００１１】
第１の態様を参照して、他の可能な実現方式では、イメージのグレースケール表示命令が受信されたときに、白色発光点に対応する白色発光ダイオードが発光するように制御するステップは、
イメージのグレースケール表示命令が受信されたときに、複数の画素の中で白色発光点が隣接する少なくとも２つの画素を決定するステップであり、少なくとも２つの画素の白色発光点は、１つの白色発光ダイオードを共有するステップと、
共有される白色発光ダイオードが発光するように制御するステップと
を含む。
【００１２】
この実現方式では、白色発光点が隣接する少なくとも２つの画素は、１つの白色発光ダイオードを共有する。白色発光点での発光を実現するために、異なる色の複数の非白色発光ダイオードの組み合わせを使用することに比べて、より少ない発光ダイオードが要求される。これは、低電力消費モードで動作するときに自己発光アレイのディスプレイの電力消費を非常に低減する。
【００１３】
第１の態様を参照して、更に他の可能な実現方式では、方法は、
グレースケールレベルを設定するために、白色発光ダイオードの輝度を調整するステップを更に含む。
【００１４】
この実現方式では、白色発光ダイオードの輝度は、異なるグレースケールレベルを実現するために調整できる。
【００１５】
第１の態様を参照して、更に他の可能な実現方式では、方法は、
イメージの背景を全て黒色に設定するステップを更に含む。
【００１６】
この実現方式では、イメージの背景は全て黒色に設定される。これは、黒色画素を増加させ、発光する必要のある画素の数量を有効に低減し、低電力消費モードで動作するときに自己発光アレイのディスプレイの電力消費を更に低減できる。
【００１７】
第２の態様によれば、自己発光アレイ表示制御装置が提供され、自己発光アレイは複数の画素を含み、各画素は、非白色発光点及び白色発光点を含み、非白色発光ダイオード及び白色発光ダイオードは、それぞれ非白色発光点及び白色発光点に配置され、装置は、
イメージのグレースケール表示命令が受信されたときに、白色発光点に対応する白色発光ダイオードが発光するように制御するように構成された制御ユニットを含む。
【００１８】
同じ発明概念に基づいて、問題を解決する原理及び装置の有利な効果について、第１の態様、第１の態様の可能な実現方式及び有利な効果を参照する。したがって、装置の実現方式について、方法の実現方式を参照し、詳細は繰り返されない。
【００１９】
第３の態様によれば、自己発光アレイ表示制御デバイスが提供され、自己発光アレイは複数の画素を含み、各画素は、非白色発光点及び白色発光点を含み、非白色発光ダイオード及び白色発光ダイオードは、それぞれ非白色発光点及び白色発光点に配置され、デバイスは、入力装置と、出力装置と、メモリと、プロセッサとを含み、
メモリは、命令を記憶するように構成され、
プロセッサは、
イメージのグレースケール表示命令が受信されたときに、白色発光点に対応する白色発光ダイオードが発光するように制御することを実現するための命令を実行するように構成される。
【００２０】
プロセッサは、第１の態様の方法において設計された解決策を実現するために、メモリに記憶された命令を呼び出す。問題を解決する実現方式及びサーバの有利な効果について、第１の態様、第１の態様の可能な実現方式及び有利な効果を参照する。したがって、サーバの実現方式について、方法の実現方式を参照し、詳細は繰り返されない。
【００２１】
第４の態様によれば、自己発光アレイが提供され、自己発光アレイは複数の画素を含み、各画素は、非白色発光点及び白色発光点を含み、非白色発光ダイオード及び白色発光ダイオードは、それぞれ各非白色発光点及び各白色発光点に配置され、自己発光アレイにおいて、少なくとも２つの画素の白色発光点が隣接しており、少なくとも２つの画素の白色発光点は、１つの白色発光ダイオードを共有する。
【００２２】
この実現方式では、複数の画素の白色発光点は、１つの白色発光ダイオードを共有する。これは、白色発光ダイオードの数量を低減できる。
【００２３】
第４の態様を参照して、可能な実現方式では、自己発光アレイは、グレースケール表示命令が受信されたときに、少なくとも２つの画素の白色発光点により共有される白色発光ダイオードを使用することにより、発光するように構成される。
【００２４】
この実現方式では、複数の画素の白色発光点は、１つの白色発光ダイオードを共有する。これは、白色発光ダイオードの数量を低減する。したがって、ディスプレイの電力消費が低減できる。
【００２５】
第４の態様を参照して、他の可能な実現方式では、２つ又は４つの画素の白色発光点が隣接しており、２つ又は４つの画素の白色発光点は、１つの白色発光ダイオードを共有する。
【００２６】
この実現方式では、共有される自己発光アレイの配置方式が多様化される。したがって、ディスプレイの電力消費が異なる程度まで低減できる。
【００２７】
本発明の実施例において提供される自己発光アレイ表示制御方法、装置及びデバイスの実現方式では、白色発光ダイオードは、白色発光点での発光を実現するために、異なる色の複数の非白色発光ダイオードの組み合わせを代替するために使用される。したがって、自己発光アレイのディスプレイは、低電力消費モードで動作するときに比較的低い電力消費を有する。
【００２８】
本発明の実施例は、複数の電子デバイスにより使用されてもよい。電子デバイスは、移動電話、ウェアラブルデバイス（例えば、スマートウォッチ又はスマートバンド）、タブレットコンピュータ、パーソナルコンピュータ（PC、Personal  Computer）、PDA（Personal  Digital  Assistant、パーソナルデジタルアシスタント）、POS（Point  of  Sales、販売時点情報管理）、車載コンピュータ等を含んでもよい。
【図面の簡単な説明】
【００２９】
本発明の実施例又は従来技術における技術的解決策をより明確に説明するために、以下に、実施例を説明するために必要な添付図面を簡単に説明する。明らかに、以下の説明における添付図面は、本発明の単にいくつかの実施例を示しているに過ぎず、当業者は、創造的取り組みなしに依然としてこれらの添付図面から他の図面を導き得る。
【図１】ウェアラブルデバイスのOLED画面の通常表示モード及び低電力消費表示モードの概略図である。
【図２】既存の赤色、緑色及び青色発光ダイオードが白色光を発光するために使用される概略図である。
【図３】本発明の実施例による自己発光アレイ表示制御方法の概略フローチャートである。
【図４】自己発光アレイの配置例の概略図である。
【図５】本発明の実施例による他の自己発光アレイ表示制御方法の概略フローチャートである。
【図６】白色発光ダイオードを共有する自己発光アレイの配置例の概略図である。
【図７】本発明の実施例による自己発光アレイ表示制御装置の概略構成図である。
【図８】本発明の実施例による他の自己発光アレイ表示制御装置の概略構成図である。
【図９】本発明の実施例による自己発光アレイ表示制御デバイスの概略構成図である。
【発明を実施するための形態】
【００３０】
自己発光アレイが低電力消費表示モードで動作するときに、白色光が画像から発光される。図２において既存の赤色、緑色及び青色発光ダイオードが白色光を発光するために使用される概略図を参照すると、既存の自己発光アレイが白色光を発光するために使用されるときに、画素の３つのLED、例えば、赤色、緑色及び青色LEDが同時に発光する必要がある。背景を黒色に設定することは、黒色画素を増加させ、発光する必要のある画素の数量を有効に低減し得る。しかし、３つのLED、すなわち、赤色、緑色及び青色LEDは、白色光を発光する画素毎に同時に発光する必要がある。したがって、白色光を発光する各画素の電力消費は、通常表示中の画素の電力消費より高い。
【００３１】
本発明の実施例は、自己発光アレイ表示制御方法、装置及びデバイスを提供する。白色発光ダイオードは、白色発光点での発光を実現するために、異なる色の複数の非白色発光ダイオードの組み合わせを代替するために使用される。したがって、自己発光アレイのディスプレイは、低電力消費モードで動作するときに比較的低い電力消費を有する。本発明のこの実施例において使用される自己発光アレイ表示制御解決策は、様々な端末デバイスの表示制御に主に適用される。様々な端末デバイスは、移動電話、ウェアラブルデバイス（例えば、スマートウォッチ又はスマートバンド）、タブレットコンピュータ、パーソナルコンピュータ、パーソナルデジタルアシスタント、販売時点情報管理、車載コンピュータ等を含んでもよい。
【００３２】
図３は、本発明の実施例による自己発光アレイ表示制御方法の概略フローチャートである。この実施例では、自己発光アレイは複数の画素を含む。各画素は、非白色発光点及び白色発光点を含む。非白色発光ダイオード及び白色発光ダイオードは、それぞれ非白色発光点及び白色発光点に配置される。非白色発光ダイオードは、例えば、赤色、緑色又は青色発光ダイオードである。
【００３３】
RGBペンタイルの自己発光アレイでは、イメージが通常に表示されるときに、画素の非白色発光点は、異なる色の３つのLEDを含む。しかし、各画素が異なる色の３つのLEDを含まず、隣接する画素が１つの非白色LEDを共有してもよい。例えば、２つの画素は、５つの非白色LED（すなわち、赤色の２つ、緑色の２つ及び青色の１つ）を含む組み合わせを使用する。この実施例では、RGBWペンタイルの自己発光アレイが使用され、すなわち、白色発光点が追加される。白色発光点は、白色発光ダイオードを使用することにより発光する。さらに、この実施例では、白色発光ダイオードは、一般的な表示モードにおいて画像の輝度を増加させるために使用されてもよく、或いはディスプレイが低電力消費モードで動作するときにディスプレイの電力消費を低減するために使用されてもよい。
【００３４】
図３に示す方法は以下のステップを含む。
【００３５】
S101.イメージのグレースケール表示命令が受信されたときに、白色発光点に対応する白色発光ダイオードが発光するように制御する。
【００３６】
端末デバイスの電力消費を低減するために、ユーザは、端末デバイスのディスプレイを低電力消費モードで動作するように設定し、それにより、グレースケール表示命令を表示制御モジュールに送信する。端末デバイスのディスプレイは、自己発光アレイを使用する。ディスプレイがグレースケールイメージを表示するときに、黒色及び白色画素のみが存在する。白色画素について、白色発光点のみが発光し、非白色発光点は発光しない。さらに、この実施例では、イメージのグレースケール表示命令が受信されたときに、白色発光点に対応する白色発光ダイオードは発光するように制御される。
【００３７】
表示サイズ400x400x24bitのOLEDディスプレイが例として使用される。通常モードでは、表示されるイメージは400x400x24bitイメージであり、発光画素の実際の数量はMであり、発光LEDの実際の数量は3Mであり、Mは正の整数である。低電力消費モードでは、異なる色の複数の非白色発光ダイオードの組み合わせが白色発光点での発光を実現するために使用されるときに、表示されるイメージは、400x400の256グレースケールイメージであり、背景の画像は全て黒色に設定され、発光画素の実際の数量はNまで低減され、発光LEDの実際の数量は3Nまで低減され、Nは正の整数であり、N<Mである。すなわち、イメージの背景が全て黒色に設定される。背景を黒色に設定することは黒色画素を増加させてもよく、黒色画素が位置するLEDは発光しない。これは、発光する必要のある画素の数量を有効に低減できる。この実施例では、自己発光アレイは低電力消費モードで動作する。低電力消費モードでは、ディスプレイはグレースケールイメージを表示し、白色発光点のみが発光する。さらに、この実施例では、白色発光ダイオードがグレースケールイメージを実現するために使用される。すなわち、白色発光点に対応する白色発光ダイオードが発光するように制御される。任意選択で、数量及び位置が白色発光点のものと１対１の対応関係にある白色発光ダイオードが発光するように制御される。前述の例が依然として例として使用される。低電力消費モードでは、数量及び位置が白色発光点のものと１対１の対応関係にある白色発光ダイオードが発光するように制御される。実際の発光点はN個の白色発光ダイオードである。白色発光点での発光を実現するために異なる色の複数の非白色発光ダイオードの組み合わせを使用することに比べて、N個の発光ダイオードのみが使用される。他の要因が考慮されない場合、ディスプレイの電力消費は約2/3だけ低減される。
【００３８】
S101の実現方式では、イメージのグレースケール表示命令が受信されたときに、数量及び位置が白色発光点のものと１対１の対応関係にある白色発光ダイオードが発光するように制御される。この実施例では、１つの白色LEDが画素毎に配置される。白色光を発光する必要のある画素（すなわち、画素は、発光する必要のある白色発光点を含む）の数量及び位置が決定され、数量及び位置が白色発光点のものと１対１の対応関係にある白色発光ダイオードが発光するように制御される。図４に示すように、図４は、自己発光アレイの配置例の概略図である。配置において、画素は４つの発光点、すなわち、赤色、青色、緑色及び白色発光点を含む。４つの発光LED、すなわち、赤色、青色、緑色及び白色発光LEDは、４つの赤色、青色、緑色及び白色発光点に対応して配置される。グレースケールイメージが表示されるときに、白色発光点のみが発光する。この実施例では、数量及び位置が発光する必要のある白色発光点のものと１対１の対応関係にある白色LEDが発光するように制御される。図４では、カラー解像度はLxKであり、白色解像度もLxKである。
【００３９】
明らかに、白色発光点に対応する白色発光ダイオードが発光するように制御される。自己発光アレイでは、白色発光ダイオードは異なる方式で配置されてもよく、或いは他の方式で実現されてもよい。これはここでは限定されない。
【００４０】
本発明のこの実施例において提供される自己発光アレイ表示制御方法によれば、白色発光ダイオードは、白色発光点での発光を実現するために、異なる色の複数の非白色発光ダイオードの組み合わせを代替するために使用される。したがって、自己発光アレイのディスプレイは、低電力消費モードで動作するときに比較的低い電力消費を有する。
【００４１】
図５は、本発明の実施例による他の自己発光アレイ表示制御方法の概略フローチャートである。方法は以下のステップを含む。
【００４２】
S201.イメージのグレースケール表示命令が受信されたときに、複数の画素の中で白色発光点が隣接する少なくとも２つの画素を決定し、少なくとも２つの画素の白色発光点は、１つの白色発光ダイオードを共有する。
【００４３】
S202.共有される白色発光ダイオードが発光するように制御する。
【００４４】
自己発光アレイの画素は、複数の非白色発光点及び白色発光点を含む。この実施例では、自己発光アレイが配置されるときに、少なくとも２つの画素の白色発光点は隣接して配置されてもよい。図６において白色発光ダイオードを共有する自己発光アレイの配置例の概略図を参照すると、４つの発光点、すなわち、赤色、青色、緑色及び白色発光点が画素を形成する。図６の左図面では、画素A及び画素Bの白色発光点が隣接しており、１つの白色発光ダイオードは、画素A及び画素Bの白色発光点に対応して配置され、すなわち、画素A及び画素Bの白色発光点は、１つの白色発光ダイオードを共有し、共有される白色発光ダイオードが発光するように制御される。左図面では、カラー解像度はLxKであり、白色解像度はL/2xKである。図６の右図面では、画素A、B、C及びDの白色発光点が隣接しており、１つの白色発光ダイオードは、画素A、B、C及びDの白色発光点に対応して配置され、すなわち、画素A、B、C及びDの白色発光点は、１つの白色発光ダイオードを共有し、共有される白色発光ダイオードが発光するように制御される。右図面では、カラー解像度はLxKであり、白色解像度はL/2xK/2である。
【００４５】
表示サイズ400x400x24bitのOLEDディスプレイが例として使用される。通常モードでは、表示されるイメージは400x400x24bitイメージであり、発光画素の実際の数量はMであり、発光LEDの実際の数量は3Mであり、Mは正の整数である。低電力消費モードでは、異なる色の複数の非白色発光ダイオードの組み合わせが白色発光点での発光を実現するために使用されるときに、表示されるイメージは、400x400の256グレースケールイメージであり、背景の画像は全て黒色に設定され、発光画素の実際の数量はNまで低減され、発光LEDの実際の数量は3Nまで低減され、Nは正の整数であり、N<Mである。この実施例では、低電力消費モードにおいて、白色発光点が隣接する複数の画素は、発光するために１つの白色発光ダイオードを共有するように制御される。例えば、白色発光点が隣接する４つの画素は、１つの白色発光ダイオードを共有する。それぞれの４つの画素の白色発光点が全体の自己発光アレイにおいて隣接しており、隣接する白色発光点が１つの白色発光ダイオードを共有する場合、実際の発光ダイオードは、N/4個の発光ダイオードである。既存の技術と比べて、1/12の発光ダイオードのみが使用される。これは、発光ダイオードの数量を低減し、ディスプレイの電力消費を更に低減する。
【００４６】
図６が依然として例として使用される。電力消費を異なる程度まで低減するために、異なる白色解像度が低減されてもよく、異なる自己発光アレイ配置が低減された異なる白色解像度に従って使用される。
【００４７】
S203.グレースケールレベルを設定するために、白色発光ダイオードの輝度を調整する。
【００４８】
グレースケールイメージは、異なる輝度に従って異なるレベルに分割される。一般的に、256個のレベルが存在する。したがって、白色発光ダイオードの輝度は、異なるグレースケールレベルを設定するように調整できる。
【００４９】
S204.イメージの背景を全て黒色に設定する。
【００５０】
自己発光アレイが低電力消費モードで動作するときに、ディスプレイはグレースケールイメージを表示する。イメージの背景を全て黒色に設定することは、発光する必要のある画素内の白色発光点が発光するように制御し、また、画素内の他の非白色発光ダイオードが発光しないように制御することである。イメージの背景を全て黒色に設定することは、黒色画素を増加させてもよく、自己発光アレイについて発光する必要のある画素の数量を有効に低減し得る。したがって、ディスプレイの電力消費が更に低減される。
【００５１】
本発明のこの実施例において提供される自己発光アレイ表示制御方法によれば、白色発光ダイオードは、白色発光点での発光を実現するために、異なる色の複数の非白色発光ダイオードの組み合わせを代替するために使用される。したがって、自己発光アレイのディスプレイは、低電力消費モードで動作するときに比較的低い電力消費を有する。さらに、白色発光点が隣接する複数の画素は、１つの白色発光ダイオードを共有するように制御される。これは、発光ダイオードの数量を低減し、ディスプレイの電力消費を更に低減する。
【００５２】
簡単な説明のため、前述の方法の実施例は、一連の動作として表される点に留意すべきである。しかし、本発明によれば、いくつかのステップが他の順序で或いは同時に実行されてもよいため、当業者は、本発明が記載された動作の順序に限定されないことを認識すべきである。さらに、当業者はまた、明細書に記載の全ての実施例が例示的な実施例であり、関係する動作及びモジュールが必ずしも本発明に必須であるとは限らないことを認識すべきである。
【００５３】
図７は、本発明の実施例による自己発光アレイ表示制御装置の概略構成図である。この実施例では、自己発光アレイは複数の画素を含む。各画素は、非白色発光点及び白色発光点を含む。非白色発光ダイオード及び白色発光ダイオードは、それぞれ非白色発光点及び白色発光点に配置される。非白色発光ダイオードは、例えば、赤色、緑色又は青色発光ダイオードである。
【００５４】
RGBペンタイルの自己発光アレイでは、イメージが通常に表示されるときに、画素の非白色発光点は、異なる色の３つのLEDを含む。しかし、各画素が異なる色の３つのLEDを含まず、隣接する画素が１つの非白色LEDを共有してもよい。例えば、２つの画素は、５つの非白色LED（すなわち、赤色の２つ、緑色の２つ及び青色の１つ）を含む組み合わせを使用する。この実施例では、RGBWペンタイルの自己発光アレイが使用され、すなわち、白色発光点が追加される。白色発光点は、白色発光ダイオードを使用することにより発光する。さらに、この実施例では、白色発光ダイオードは、一般的な表示モードにおいて画像の輝度を増加させるために使用されてもよく、或いはディスプレイが低電力消費モードで動作するときにディスプレイの電力消費を低減するために使用されてもよい。
【００５５】
図７に示す装置1000は、
イメージのグレースケール表示命令が受信されたときに、白色発光点に対応する白色発光ダイオードが発光するように制御するように構成された制御ユニット11を含む。
【００５６】
端末デバイスの電力消費を低減するために、ユーザは、端末デバイスのディスプレイを低電力消費モードで動作するように設定し、それにより、グレースケール表示命令を表示制御モジュールに送信する。端末デバイスのディスプレイは、自己発光アレイを使用する。ディスプレイがグレースケールイメージを表示するときに、黒色及び白色画素のみが存在する。白色画素について、白色発光点のみが発光し、非白色発光点は発光しない。さらに、この実施例では、イメージのグレースケール表示命令が受信されたときに、白色発光点に対応する白色発光ダイオードは発光するように制御される。
【００５７】
表示サイズ400x400x24bitのOLEDディスプレイが例として使用される。通常モードでは、表示されるイメージは400x400x24bitイメージであり、発光画素の実際の数量はMであり、発光LEDの実際の数量は3Mであり、Mは正の整数である。低電力消費モードでは、異なる色の複数の非白色発光ダイオードの組み合わせが白色発光点での発光を実現するために使用されるときに、表示されるイメージは、400x400の256グレースケールイメージであり、背景の画像は全て黒色に設定され、発光画素の実際の数量はNまで低減され、発光LEDの実際の数量は3Nまで低減され、Nは正の整数であり、N<Mである。すなわち、イメージの背景が全て黒色に設定される。背景を黒色に設定することは黒色画素を増加させてもよく、黒色画素が位置するLEDは発光しない。これは、発光する必要のある画素の数量を有効に低減できる。この実施例では、自己発光アレイは低電力消費モードで動作する。低電力消費モードでは、ディスプレイはグレースケールイメージを表示し、白色発光点のみが発光する。さらに、この実施例では、白色発光ダイオードがグレースケールイメージを実現するために使用される。すなわち、白色発光点に対応する白色発光ダイオードが発光するように制御される。任意選択で、数量及び位置が白色発光点のものと１対１の対応関係にある白色発光ダイオードが発光するように制御される。前述の例が依然として例として使用される。低電力消費モードでは、数量及び位置が白色発光点のものと１対１の対応関係にある白色発光ダイオードが発光するように制御される。実際の発光点はN個の白色発光ダイオードである。白色発光点での発光を実現するために異なる色の複数の非白色発光ダイオードの組み合わせを使用することに比べて、N個の発光ダイオードのみが使用される。他の要因が考慮されない場合、ディスプレイの電力消費は約2/3だけ低減される。
【００５８】
実現方式では、制御ユニット11は、イメージのグレースケール表示命令が受信されたときに、数量及び位置が白色発光点のものと１対１の対応関係にある白色発光ダイオードが発光するように制御する。この実施例では、１つの白色LEDが画素毎に配置される。白色光を発光する必要のある画素（すなわち、画素は、発光する必要のある白色発光点を含む）の数量及び位置が決定され、数量及び位置が白色発光点のものと１対１の対応関係にある白色発光ダイオードが発光するように制御される。図４に示すように、図４は、自己発光アレイの配置例の概略図である。配置において、画素は４つの発光点、すなわち、赤色、青色、緑色及び白色発光点を含む。４つの発光LED、すなわち、赤色、青色、緑色及び白色発光LEDは、４つの赤色、青色、緑色及び白色発光点に対応して配置される。グレースケールイメージが表示されるときに、白色発光点のみが発光する。この実施例では、数量及び位置が発光する必要のある白色発光点のものと１対１の対応関係にある白色LEDが発光するように制御される。図４では、カラー解像度はLxKであり、白色解像度もLxKである。
【００５９】
明らかに、白色発光点に対応する白色発光ダイオードが発光するように制御される。自己発光アレイでは、白色発光ダイオードは異なる方式で配置されてもよく、或いは他の方式で実現されてもよい。これはここでは限定されない。
【００６０】
本発明のこの実施例において提供される自己発光アレイ表示制御装置によれば、白色発光ダイオードは、白色発光点での発光を実現するために、異なる色の複数の非白色発光ダイオードの組み合わせを代替するために使用される。したがって、自己発光アレイのディスプレイは、低電力消費モードで動作するときに比較的低い電力消費を有する。
【００６１】
図８は、本発明の実施例による他の自己発光アレイ表示制御装置の概略構成図である。装置2000は、制御ユニット21と、調整ユニット22と、設定ユニット23とを含む。
【００６２】
制御ユニット21は、イメージのグレースケール表示命令が受信されたときに、複数の画素の中で白色発光点が隣接する少なくとも２つの画素を決定するように構成され、少なくとも２つの画素の白色発光点は、１つの白色発光ダイオードを共有する。
【００６３】
制御ユニット21は、共有される白色発光ダイオードが発光するように制御するように構成される。
【００６４】
自己発光アレイの画素は、複数の非白色発光点及び白色発光点を含む。この実施例では、自己発光アレイが配置されるときに、少なくとも２つの画素の白色発光点は隣接して配置されてもよい。図６において白色発光ダイオードを共有する自己発光アレイの配置例の概略図を参照すると、４つの発光点、すなわち、赤色、青色、緑色及び白色発光点が画素を形成する。図６の左図面では、画素A及び画素Bの白色発光点が隣接しており、１つの白色発光ダイオードは、画素A及び画素Bの白色発光点に対応して配置され、すなわち、画素A及び画素Bの白色発光点は、１つの白色発光ダイオードを共有し、共有される白色発光ダイオードが発光するように制御される。左図面では、カラー解像度はLxKであり、白色解像度はL/2xKである。図６の右図面では、画素A、B、C及びDの白色発光点が隣接しており、１つの白色発光ダイオードは、画素A、B、C及びDの白色発光点に対応して配置され、すなわち、画素A、B、C及びDの白色発光点は、１つの白色発光ダイオードを共有し、共有される白色発光ダイオードが発光するように制御される。右図面では、カラー解像度はLxKであり、白色解像度はL/2xK/2である。
【００６５】
表示サイズ400x400x24bitのOLEDディスプレイが例として使用される。通常モードでは、表示されるイメージは400x400x24bitイメージであり、発光画素の実際の数量はMであり、発光LEDの実際の数量は3Mであり、Mは正の整数である。低電力消費モードでは、異なる色の複数の非白色発光ダイオードの組み合わせが白色発光点での発光を実現するために使用されるときに、表示されるイメージは、400x400の256グレースケールイメージであり、背景の画像は全て黒色に設定され、発光画素の実際の数量はNまで低減され、発光LEDの実際の数量は3Nまで低減され、Nは正の整数であり、N<Mである。この実施例では、低電力消費モードにおいて、白色発光点が隣接する複数の画素は、発光するために１つの白色発光ダイオードを共有するように制御される。例えば、白色発光点が隣接する４つの画素は、１つの白色発光ダイオードを共有する。それぞれの４つの画素の白色発光点が全体の自己発光アレイにおいて隣接しており、隣接する白色発光点が１つの白色発光ダイオードを共有する場合、実際の発光ダイオードは、N/4個の発光ダイオードである。既存の技術と比べて、1/12の発光ダイオードのみが使用される。これは、発光ダイオードの数量を低減し、ディスプレイの電力消費を更に低減する。
【００６６】
図６が依然として例として使用される。電力消費を異なる程度まで低減するために、異なる白色解像度が低減されてもよく、異なる自己発光アレイ配置が低減された異なる白色解像度に従って使用される。
【００６７】
調整ユニット22は、グレースケールレベルを設定するために、白色発光ダイオードの輝度を調整するように構成される。
【００６８】
グレースケールイメージは、異なる輝度に従って異なるレベルに分割される。一般的に、256個のレベルが存在する。したがって、白色発光ダイオードの輝度は、異なるグレースケールレベルを設定するように調整できる。
【００６９】
設定ユニット23は、イメージの背景を全て黒色に設定するように構成される。
【００７０】
自己発光アレイが低電力消費モードで動作するときに、ディスプレイはグレースケールイメージを表示する。イメージの背景を全て黒色に設定することは、発光する必要のある画素内の白色発光点が発光するように制御し、また、画素内の他の非白色発光ダイオードが発光しないように制御することである。イメージの背景を全て黒色に設定することは、黒色画素を増加させてもよく、自己発光アレイについて発光する必要のある画素の数量を有効に低減し得る。したがって、ディスプレイの電力消費が更に低減される。
【００７１】
本発明のこの実施例において提供される自己発光アレイ表示制御装置によれば、白色発光ダイオードは、白色発光点での発光を実現するために、異なる色の複数の非白色発光ダイオードの組み合わせを代替するために使用される。したがって、自己発光アレイのディスプレイは、低電力消費モードで動作するときに比較的低い電力消費を有する。さらに、白色発光点が隣接する複数の画素は、１つの白色発光ダイオードを共有するように制御される。これは、発光ダイオードの数量を低減し、ディスプレイの電力消費を更に低減する。
【００７２】
図９は、本発明の実施例による自己発光アレイ表示制御デバイスの概略構成図である。自己発光アレイは複数の画素を含む。各画素は、非白色発光点及び白色発光点を含む。非白色発光ダイオード及び白色発光ダイオードは、それぞれ非白色発光点及び白色発光点に配置される。非白色発光ダイオードは、例えば、赤色、緑色又は青色発光ダイオードである。図９に示すように、デバイス3000は、
入力装置31と、出力装置32と、メモリ33と、プロセッサ34（自己発光アレイ表示制御デバイスに１つ以上のプロセッサ34が存在してもよく、１つのプロセッサが図９の例として使用される）とを含んでもよい。本発明のいくつかの実施例では、入力装置31、出力装置32、メモリ33及びプロセッサ34は、バスを使用することにより或いは他の方式で接続されてもよい。バスを使用することによる接続が図９の例として使用される。
【００７３】
メモリ33は、命令を記憶するように構成される。
【００７４】
プロセッサ34は、
イメージのグレースケール表示命令が受信されたときに、白色発光点に対応する白色発光ダイオードが発光するように制御することを実現するための命令を実行するように構成される。
【００７５】
実現方式では、プロセッサ34は、
イメージのグレースケール表示命令が受信されたときに、数量及び位置が白色発光点のものと１対１の対応関係にある白色発光ダイオードが発光するように制御するように具体的に構成される。
【００７６】
他の実現方式では、プロセッサ34は、
イメージのグレースケール表示命令が受信されたときに、複数の画素の中で白色発光点が隣接する少なくとも２つの画素を決定し、少なくとも２つの画素の白色発光点は、１つの白色発光ダイオードを共有し、
共有される白色発光ダイオードが発光するように制御するように具体的に構成される。
【００７７】
更に他の実現方式では、プロセッサ34は、
グレースケールレベルを設定するために、白色発光ダイオードの輝度を調整するように更に構成される。
【００７８】
更に他の実現方式では、プロセッサ34は、
イメージの背景を全て黒色に設定するように更に構成される。
【００７９】
本発明のこの実施例において提供される自己発光アレイ表示制御デバイスによれば、白色発光ダイオードは、白色発光点での発光を実現するために、異なる色の複数の非白色発光ダイオードの組み合わせを代替するために使用される。したがって、自己発光アレイのディスプレイは、低電力消費モードで動作するときに比較的低い電力消費を有する。さらに、白色発光点が隣接する複数の画素は、１つの白色発光ダイオードを共有するように制御される。これは、発光ダイオードの数量を低減し、ディスプレイの電力消費を更に低減する。
【００８０】
前述の実施例では、各実施例の説明は、それぞれの焦点を有する。実施例に詳細に記載されていない部分について、他の実施例における関係する説明に参照が行われてもよい。
【００８１】
本発明の実施例における方法のステップの順序は調整されてもよく、特定のステップはまた、実際の要件に従って併合又は削除されてもよい。
【００８２】
併合、分割及び削除は、実際のニーズに従って本発明の実施例におけるユニットにおいて実行されてもよい。当業者は、明細書に記載の異なる実施例又は異なる実施例の特徴を統合又は結合してもよい。
【００８３】
前述の実施例の説明により、当業者は、本発明がハードウェア、ファームウェア又はこれらの組み合わせにより実現されてもよいことを明確に認識し得る。本発明がソフトウェアにより実現されるときに、前述の機能は、コンピュータ読み取り可能媒体に記憶されてもよく、或いはコンピュータ読み取り可能媒体内の１つ以上の命令又はコードとして送信されてもよい。コンピュータ読み取り可能媒体は、コンピュータ記憶媒体と、通信媒体とを含み、通信媒体は、コンピュータプログラムが１つの場所から他に送信されることを可能にするいずれかの媒体を含む。記憶媒体は、コンピュータにアクセス可能ないずれか利用可能な媒体でもよい。以下に例を提供するが、限定されない。コンピュータ読み取り可能媒体は、ランダムアクセスメモリ（Random  Access  Memory、RAM）、読み取り専用メモリ（Read-Only  Memory、ROM）、電気的消去可能プログラム可能読み取り専用メモリ（Electrically  Erasable  Programmable  Read-Only  Memory、EEPROM）、コンパクトディスク読み取り専用メモリ（Compact  Disc  Read-Only  Memory、CD-ROM）又は他の光ディスクストレージ、ディスク記憶媒体若しくは他のディスクストレージ、又はコマンド若しくはデータ構造の形式で予期されるプログラムコードを搬送又は記憶するために使用でき、コンピュータによりアクセスできる他の媒体を含んでもよい。さらに、いずれかの接続は、コンピュータ読み取り可能媒体として適切に規定されてもよい。例えば、ソフトウェアが同軸ケーブル、光ファイバ／ケーブル、ツイストペア、デジタル加入者線（Digital  Subscriber  Line、DSL）、又は赤外線、無線及びマイクロ波のような無線技術を使用することによりウェブサイト、サーバ又は他の遠隔ソースから送信される場合、同軸ケーブル、光ファイバ／ケーブル、ツイストペア、DSL、又は赤外線、無線及びマイクロ波のような無線技術は、これらが属する媒体の固定に含まれる。例えば、本発明により使用されるディスク（Disk）及びディスク（disc）は、コンパクトディスクCD、レーザーディスク、光ディスク、デジタル多目的ディスク（DVD）、フロッピーディスク、ブルーレイディスクを含み、ディスク（disk）は、概して磁気手段によりデータをコピーし、ディスク（disc）は、レーザー手段により光学的にデータをコピーする。前述の組み合わせもまた、コンピュータ読み取り可能媒体の保護範囲内に含まれるべきである。
【００８４】
要するに、前述したものは、本発明の技術的解決策の単なる例示的な実施例に過ぎず、本発明の保護範囲を限定することを意図するものではない。本発明の真意及び原理を逸脱することなく行われる如何なる変更、等価置換及び改善も、本発明の保護範囲内に入るものとする。
【図１】
2019507364.tif 000003
【図２】
2019507364.tif 000004
【図３】
2019507364.tif 000005
【図４】
2019507364.tif 000006
【図５】
2019507364.tif 000007
【図６】
2019507364.tif 000008
【図７】
2019507364.tif 000009
【図８】
2019507364.tif 000010
【図９】
2019507364.tif 000011
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
自己発光アレイ表示制御方法であり、自己発光アレイは複数の画素を含み、各画素は、非白色発光点及び白色発光点を含み、非白色発光ダイオード及び白色発光ダイオードは、それぞれ前記非白色発光点及び前記白色発光点に配置される方法であって、
イメージのグレースケール表示命令が受信されたときに、前記白色発光点に対応する前記白色発光ダイオードが発光するように制御するステップを含む方法。
【請求項２】
イメージのグレースケール表示命令が受信されたときに、前記白色発光点に対応する前記白色発光ダイオードが発光するように制御するステップは、
前記イメージの前記グレースケール表示命令が受信されたときに、数量及び位置が前記白色発光点のものと１対１の対応関係にある前記白色発光ダイオードが発光するように制御するステップを含む、請求項１に記載の方法。
【請求項３】
イメージのグレースケール表示命令が受信されたときに、前記白色発光点に対応する前記白色発光ダイオードが発光するように制御するステップは、
前記イメージの前記グレースケール表示命令が受信されたときに、前記複数の画素の中で白色発光点が隣接する少なくとも２つの画素を決定するステップであり、前記少なくとも２つの画素の前記白色発光点は、１つの白色発光ダイオードを共有するステップと、
前記共有される白色発光ダイオードが発光するように制御するステップと
を含む、請求項１に記載の方法。
【請求項４】
グレースケールレベルを設定するために、前記白色発光ダイオードの輝度を調整するステップを更に含む、請求項１乃至３のうちいずれか１項に記載の方法。
【請求項５】
前記イメージの背景を全て黒色に設定するステップを更に含む、請求項１乃至４のうちいずれか１項に記載の方法。
【請求項６】
自己発光アレイ表示制御装置であり、自己発光アレイは複数の画素を含み、各画素は、非白色発光点及び白色発光点を含み、非白色発光ダイオード及び白色発光ダイオードは、それぞれ前記非白色発光点及び前記白色発光点に配置される装置であって、
イメージのグレースケール表示命令が受信されたときに、前記白色発光点に対応する前記白色発光ダイオードが発光するように制御するように構成された制御ユニットを含む装置。
【請求項７】
前記制御ユニットは、
前記イメージの前記グレースケール表示命令が受信されたときに、数量及び位置が前記白色発光点のものと１対１の対応関係にある前記白色発光ダイオードが発光するように制御するように構成される、請求項６に記載の装置。
【請求項８】
前記制御ユニットは、
前記イメージの前記グレースケール表示命令が受信されたときに、前記複数の画素の中で白色発光点が隣接する少なくとも２つの画素を決定し、前記少なくとも２つの画素の前記白色発光点は、１つの白色発光ダイオードを共有し、
前記共有される白色発光ダイオードが発光するように制御するように構成される、請求項６に記載の装置。
【請求項９】
グレースケールレベルを設定するために、前記白色発光ダイオードの輝度を調整するように構成される調整ユニットを更に含む、請求項６乃至８のうちいずれか１項に記載の装置。
【請求項１０】
前記イメージの背景を全て黒色に設定するように構成された設定ユニットを更に含む、請求項６乃至９のうちいずれか１項に記載の装置。
【請求項１１】
自己発光アレイ表示制御デバイスであり、自己発光アレイは複数の画素を含み、各画素は、非白色発光点及び白色発光点を含み、非白色発光ダイオード及び白色発光ダイオードは、それぞれ前記非白色発光点及び前記白色発光点に配置されるデバイスであって、
入力装置と、出力装置と、メモリと、プロセッサとを含み、
前記メモリは、命令を記憶するように構成され、
前記プロセッサは、
イメージのグレースケール表示命令が受信されたときに、前記白色発光点に対応する前記白色発光ダイオードが発光するように制御することを実現するための命令を実行するように構成されるデバイス。
【請求項１２】
前記プロセッサは、
前記イメージの前記グレースケール表示命令が受信されたときに、数量及び位置が前記白色発光点のものと１対１の対応関係にある前記白色発光ダイオードが発光するように制御するように構成される、請求項１１に記載のデバイス。
【請求項１３】
前記プロセッサは、
前記イメージの前記グレースケール表示命令が受信されたときに、前記複数の画素の中で白色発光点が隣接する少なくとも２つの画素を決定し、前記少なくとも２つの画素の前記白色発光点は、１つの白色発光ダイオードを共有し、
前記共有される白色発光ダイオードが発光するように制御するように構成される、請求項１１に記載のデバイス。
【請求項１４】
前記プロセッサは、
グレースケールレベルを設定するために、前記白色発光ダイオードの輝度を調整するように更に構成される、請求項１１乃至１３のうちいずれか１項に記載のデバイス。
【請求項１５】
前記プロセッサは、
前記イメージの背景を全て黒色に設定するように更に構成される、請求項１１乃至１４のうちいずれか１項に記載のデバイス。
【国際調査報告】
2019507364.tif 000012
2019507364.tif 000013
2019507364.tif 000014
2019507364.tif 000015
2019507364.tif 000016